(57)【要約】  ユーザ装置と基地局とを有する無線通信システムにおける前記ユーザ装置において、動的に変更され得るパラメータを使用して、サービングセルの上り送信電力情報を算出する上り送信電力情報算出部と、前記上り送信電力情報が設定された制御情報に、当該上り送信電力情報の算出に使用されたパラメータを識別する識別情報を含め、当該識別情報を含む前記制御情報を前記基地局に送信する信号送信部とを備える。
2019159302.tif 000002
【特許請求の範囲】
【請求項１】
ユーザ装置と基地局とを有する無線通信システムにおける前記ユーザ装置であって、
動的に変更され得るパラメータを使用して、サービングセルの上り送信電力情報を算出する上り送信電力情報算出部と、
前記上り送信電力情報が設定された制御情報に、当該上り送信電力情報の算出に使用されたパラメータを識別する識別情報を含め、当該識別情報を含む前記制御情報を前記基地局に送信する信号送信部と
を備えるユーザ装置。
【請求項２】
前記サービングセルにおける上り送信は実施されておらず、前記上り送信電力情報は、上り送信が実施されていない当該サービングセルについての上り送信電力情報である
請求項１に記載のユーザ装置。
【請求項３】
ユーザ装置と基地局とを有する無線通信システムにおける前記ユーザ装置であって、
デフォルトのパラメータを使用して、上り送信が実施されていないサービングセルの上り送信電力情報を算出する上り送信電力情報算出部と、
前記上り送信電力情報が設定された制御情報を生成し、当該制御情報を前記基地局に送信する信号送信部と
を備えるユーザ装置。
【請求項４】
ユーザ装置と基地局とを有する無線通信システムにおける前記ユーザ装置であって、
ランダムアクセス手順における上り送信に適用したパラメータを使用して、上り送信が実施されていないサービングセルの上り送信電力情報を算出する上り送信電力情報算出部と、
前記上り送信電力情報が設定された制御情報を生成し、当該制御情報を前記基地局に送信する信号送信部と
を備えるユーザ装置。
【請求項５】
ユーザ装置と基地局とを有する無線通信システムにおける前記ユーザ装置であって、
あるサービングセルにおける上り送信に適用したパラメータを使用して、当該サービングセルの上り送信が実施されていない場合における当該サービングセルの上り送信電力情報を算出する上り送信電力情報算出部と、
前記上り送信電力情報が設定された制御情報を生成し、当該制御情報を前記基地局に送信する信号送信部と
を備えるユーザ装置。
【請求項６】
ユーザ装置と基地局とを有する無線通信システムにおける前記ユーザ装置であって、
上り送信が実施されていないサービングセルにおける下り制御信号により受信したパラメータを使用して、当該サービングセルの上り送信電力情報を算出する上り送信電力情報算出部と、
前記上り送信電力情報が設定された制御情報を生成し、当該制御情報を前記基地局に送信する信号送信部と
を備えるユーザ装置。
【発明の詳細な説明】
【技術分野】
【０００１】
本発明は、無線通信システムにおけるユーザ装置に関連するものである。
【背景技術】
【０００２】
現在、ＬＴＥ（ＬＴＥ−Ａｄｖａｎｃｅｄを含む）による無線サービスが広く提供されている。３ＧＰＰでは、ＬＴＥからのシステム容量の更なる大容量化、データ伝送速度の更なる高速化、無線区間における更なる低遅延化などを実現するために、５Ｇと呼ばれる無線通信方式の検討及び仕様化が進んでいる。５Ｇでは、１０Ｇｂｐｓ以上のスループットを実現しつつ無線区間の遅延を１ｍｓ以下にするという要求条件を満たすために、様々な技術の検討が行われている。５Ｇをサポートする無線アクセス技術は、ＮＲ（Ｎｅｗ  Ｒａｄｉｏ）と呼ばれる。【０００３】
ＬＴＥでは、上り送信電力制御のために、ＰＨＲ（ｐｏｗｅｒ ｈｅａｄｒｏｏｍ ｒｅｐｏｒ）制御が行われており、ＮＲにおいてもＬＴＥにおけるＰＨＲ制御をベースとしたＰＨＲ制御が行われることが想定される。ＰＨＲ制御では、ユーザ装置ＵＥがＰＨ（ｐｏｗｅｒ ｈｅａｄｒｏｏｍ、パワーヘッドルーム）を含むＰＨＲ信号を基地局に通知し、基地局は、ＰＨＲ信号に基づいて、ユーザ装置ＵＥのＵＬ（Ｕｐｌｉｎｋ）送信のスケジューリング、送信電力制御等を実施する。
【先行技術文献】
【非特許文献】
【０００４】
【非特許文献１】３ＧＰＰ  ＴＳ  ３６．２１３  Ｖ１５．０．０  （２０１７−１２）
【非特許文献２】３ＧＰＰ  ＴＳ  ３８．２１３  Ｖ１５．０．０  （２０１７−１２）
【非特許文献３】３ＧＰＰ  ＴＳ  ３６．３２１  Ｖ１５．０．０  （２０１７−１２）
【非特許文献４】３ＧＰＰ  ＴＳ  ３８．３２１  Ｖ１５．０．０  （２０１７−１２）
【発明の概要】
【発明が解決しようとする課題】
【０００５】
ＵＬ  ＣＡ（キャリアアグリゲーション）が実施される場合、ユーザ装置ＵＥは、ＵＬ送信の有無に関わらずに、全サービングセルにおけるＰＨを報告する（非特許文献３、４）。ユーザ装置ＵＥは、ＵＬ送信を行うサービングセルについては、ＵＬ送信に使用するパラメータを使用してＰＨを算出することができる。【０００６】
また、ユーザ装置ＵＥは、ＵＬ送信を実施していないサービングセルについては、例えば、基地局から設定された複数のパラメータうちのあるパラメータを選択してＰＨを算出することが考えられる。しかし、この場合、従来技術では、基地局１０は、当該ＰＨの算出に使用されたパラメータを把握できない場合がある。そのため、ユーザ装置ＵＥで観測されたパスロス等を把握することができず、ユーザ装置ＵＥに対するスケジューリング、送信電力制御を適切に行えない可能性がある。【０００７】
本発明は上記の点に鑑みてなされたものであり、上り送信が実施されていないサービングセルにおいて、ユーザ装置が上り送信電力情報の算出に使用したパラメータを基地局が把握することを可能とする技術を提供することを目的とする。
【課題を解決するための手段】
【０００８】
開示の技術によれば、ユーザ装置と基地局とを有する無線通信システムにおける前記ユーザ装置であって、
動的に変更され得るパラメータを使用して、サービングセルの上り送信電力情報を算出する上り送信電力情報算出部と、
前記上り送信電力情報が設定された制御情報に、当該上り送信電力情報の算出に使用されたパラメータを識別する識別情報を含め、当該識別情報を含む前記制御情報を前記基地局に送信する信号送信部と
を備えるユーザ装置が提供される。
【発明の効果】
【０００９】
開示の技術によれば、上り送信が実施されていないサービングセルにおいて、ユーザ装置が上り送信電力情報の算出に使用したパラメータを基地局が把握することを可能とする技術が提供される。
【図面の簡単な説明】
【００１０】
【図１】本発明の実施の形態における無線通信システムの構成図である。
【図２】ＰＨ制御の例を説明するための図である。
【図３】ＰＨ制御の例を説明するための図である。
【図４】実施例１における動作例を説明するための図である。
【図５】実施例１におけるＰＨＲ  ＭＡＣ  ＣＥフォーマットの例を示す図である。
【図６】実施例２における動作例を説明するための図である。
【図７】実施例２における動作例を説明するための図である。
【図８】実施例２における動作例を説明するための図である。
【図９】実施の形態に係るユーザ装置ＵＥの機能構成の一例を示す図である。
【図１０】実施の形態に係る基地局１０の機能構成の一例を示す図である。
【図１１】実施の形態に係る基地局１０及びユーザ装置ＵＥのハードウェア構成の一例を示す図である。
【発明を実施するための形態】
【００１１】
以下、図面を参照して本発明の実施の形態（本実施の形態）を説明する。なお、以下で説明する実施の形態は一例に過ぎず、本発明が適用される実施の形態は、以下の実施の形態に限られるわけではない。
【００１２】
本実施の形態の無線通信システムは、少なくともＮＲの通信方式をサポートしていることを想定している。また、本実施の形態の無線通信システムが動作するにあたって、例えばＮＲの仕様に規定されていない動作を行うために、適宜、既存のＬＴＥで規定された技術を使用できる。
【００１３】
（システム構成）
図１は、本実施の形態に係る無線通信システムの構成例を示す図である。図１に示すように、本実施の形態に係る無線通信システムは、セルを形成する基地局１０、及びユーザ装置ＵＥを有する。本実施の形態に係る無線通信システムにおいて、一般には、図１に示す１つのユーザ装置ＵＥ以外にも複数のユーザ装置ＵＥが存在する。図１では、一例として１つのユーザ装置ＵＥを示している。また、一般には、図１に示す１つの基地局１０以外にも複数の基地局が存在する。図１では、一例として１つの基地局１０を示している。
【００１４】
基地局１０及びユーザ装置ＵＥはいずれも、ＮＲの機能を備える。ただし、基地局１０及びユーザ装置ＵＥはいずれも、ＮＲの機能に加えてＬＴＥの機能を備えてもよいし、ＮＲのみの機能を含む装置であってもよい。ＮＲに対応する基地局１０をｇＮＢと称してもよい。
【００１５】
基地局１０及びユーザ装置ＵＥはキャリアアグリゲーションを実施する機能を含む。キャリアアグリゲーションは、単独の基地局とユーザ装置ＵＥとの間で実施されるものであってもよいし、複数の基地局とユーザ装置ＵＥとの間で実施されるものであってもよい。複数の基地局とユーザ装置ＵＥとの間で実施されるキャリアアグリゲーションをデュアルコネクティビティと称してもよい。
【００１６】
本実施の形態はＰＨＲに関するものであることから、まず、ＰＨＲについて説明する。なお、本明細書においては、基本的に、ＰＨＲは、ＰＨ（ｐｏｗｅｒ  ｈｅａｄｒｏｏｍ）を基地局１０に報告することの意味で使用する。また、報告される信号をＰＨＲ信号と呼ぶ。また、ＰＨを「上り送信電力情報」と呼んでもよい。
【００１７】
＜ＰＨＲについて＞
ユーザ装置ＵＥが基地局１０にデータを送信する際の送信電力は適切な大きさである必要があるため、ユーザ装置ＵＥは、ＵＬ送信電力を所定の式を用いて算出し、算出されたＵＬ送信電力でＵＬ送信を行っている。以下に、ＰＵＳＣＨ（Ｐｈｙｓｉｃａｌ  Ｕｐｌｉｎｋ  Ｓｈａｒｅｄ  Ｃｈａｎｎｅｌ）の送信電力を例にとって、上記所定の式の例を示す。なお、本実施の形態で説明する処理内容は、ＰＵＳＣＨ送信に限らず、他のＣｈａｎｎｅｌ及びｓｉｇｎａｌ（例：ＰＲＡＣＨ、ＰＵＣＣＨ、ＳＲＳ）にも適用可能である。
【００１８】
【数１】
2019159302.tif 000003
式１において、ＰＣＭＡＸ，ｃ（ｉ）は、サービングセル（ｓｅｒｖｉｎｇ  ｃｅｌｌ）ｃのｉ番目のサブフレーム（ｓｕｂｆｒａｍｅ）における最大送信電力（必要な電力バックオフ考慮後）であり、ＭＰＵＳＣＨ，Ｃ（ｉ）はリソースブロック数であり、ΔＴＦ，ｃはＭＣＳ（Ｍｏｄｕｌａｔｉｏｎ  Ｃｏｄｉｎｇ  Ｓｃｈｅｍｅ）から誘導されるパワーオフセットであり、ＰＬｃはパスロスであり、ｆｃ（ｉ）はａｃｃｕｍｕｌａｔｅｄ  ＴＰＣ  ｃｏｍｍａｎｄ（閉ループパワーコントロール補正）である。その他はブロードキャストされるパラメータである。具体的には、ＰＯ＿ＰＵＳＣＨ，ｃは、基準となる電力オフセットであり、αｃ（ｊ）は、Ｆｒａｃｔｉｏｎ  ＴＰＣの傾斜を示す。なお、パスロスは、ユーザ装置ＵＥが基地局１０から受信する参照信号の受信電力と、基地局１０から受信する参照信号の送信電力情報とからユーザ装置ＵＥが算出（推定）するものである。
【００１９】
ユーザ装置ＵＥは、割り当てを受けたリソース量と適用するＭＣＳ等を上記所定の式に入力して送信電力を決定してＵＬ送信を行う。算出された送信電力が最大送信電力を超える場合は、最大送信電力を適用してＵＬ送信を行う。
【００２０】
基地局１０は、ユーザ装置ＵＥの送信電力が適切な値になるように電力制御及びスケジューリング（リソース割り当て、ＭＣＳ決定等）を行うために、上記の式１に基づいて、ユーザ装置ＵＥの送信電力を把握する。ただし、上記の式１における変数のうち、パスロスが未知であるため、ユーザ装置ＵＥは、所定のトリガ（例：パスロスが所定値よりも大きく変わったとき）で、ＰＨ（ｐｏｗｅｒ ｈｅａｄｒｏｏｍ、パワーヘッドルーム）を含むＰＨＲ（ｐｏｗｅｒ ｈｅａｄｒｏｏｍ ｒｅｐｏｒｉｎｇ）信号を基地局１０に通知し、基地局１０は、ＰＨＲ信号に基づいて、ユーザ装置ＵＥの送信電力を制御する。
【００２１】
パワーヘッドルーム（ＰＨ）とは、以下の式２で算出される値であり、ＵＥの最大送信電力（必要な電力バックオフ考慮後）と実際の送信電力との差である。
【００２２】
【数２】
2019159302.tif 000004
ＬＴＥにおける送信電力制御では、送信電力算出に用いるパラメータのうち、参照するパスロス、Ｆｒａｃｔｉｏｎ  ＴＰＣの傾斜、閉ループパワーコントロール補正は、ＵＥ毎に１ｓｅｔしか管理されず、これらが全てのＵＬ送信電力に適用されていた。
【００２３】
また、ＵＬ  ＣＡ（キャリアアグリゲーション）時において、ＵＬ送信のないサービングセルに対しては、ＵＬ割り当てによって決定されるパラメータ（ＰＲＢ数、変調方式等に関わる動的に変化するもの）について固定のものを用いることでＰＨを算出していた。すなわち、下記に示すように、式１について四角枠で囲んだパラメータについては、Ｒｅｆｅｒｅｎｃｅ  ｆｏｒｍａｔを用いる（非特許文献１、非特許文献２）。
【００２４】
【数３】
2019159302.tif 000005
一方、ＮＲでは、ユーザ装置ＵＥの無線環境に合わせたより細やかな送信電力制御ができるようにパラメータセットを一つのユーザ装置ＵＥに対して複数設定・管理でき、ＰＨの算出も、その時点で適用されるパラメータセットに応じて算出される。
【００２５】
すなわち、例えば、ＰａｔｈｌｏｓｓＲｅｆｅｒｅｎｃｅＩｎｄｅｘ（パスロス算出の基準とするＳＲのインデックス）、Ｐ０ＡｌｐｈａＳｅｔＩｎｄｅｘ（基準電力オフセットのインデックス）、ＰＵＳＣＨＣｌｏｓｅｄＬｏｏｐＩｎｄｅｘ（閉ループパワーコントロール補正に関するインデックス）のいずれか複数のパラメータのセットについて、ユーザ装置ＵＥが使用し得るパラメータセット群が基地局１０からＲＲＣシグナリング等でユーザ装置ＵＥに設定され、基地局１０は実際に使用するパラメータセットをユーザ装置ＵＥにＵＬ  ｇｒａｎｔで指定する。ユーザ装置ＵＥは指定されたパラメータセットを使用してＵＬ送信を行う。また、ユーザ装置ＵＥは、実際に使用するパラメータセットを使用して、ＰＨを算出する。なお、パラメータセット単位に代えて、個々のパラメータ単位でこのような制御が行われてもよい。なお、「パラメータ」を、パラメータセットも含む広い意味で使用してもよい。
【００２６】
ＮＲにおいては、基地局１０は、ユーザ装置ＵＥからＰＨを受信する際にどのパラメータセットで算出されたＰＨであるかを知っておく必要がある。具体的には、下記に示すように、四角枠で囲んだパラメータに加えて、丸枠で囲んだパラメータについても基地局１０−ユーザ装置ＵＥ間で共通のものを用いる必要がある。
【００２７】
【数４】
2019159302.tif 000006
ＵＬ  ＣＡの場合、ユーザ装置ＵＥは全サービングセルに対して（ＵＬ送信の有無にかかわらず）ＰＨを報告することが規定されており（非特許文献３、４）、前述したように、ＵＬ送信がないサービングに対しては特定のＰＲＢ数とＭＣＳのＵＬ送信があったと想定したＰＨがフィードバックされる。これをｖｉｒｔｕａｌ  ＰＨと呼ぶ。実際の送信に使用したパラメータセットを使用して算出したＰＨをｒｅａｌ  ＰＨと呼ぶ。
【００２８】
ｖｉｒｔｕａｌ  ＰＨの場合にどのパラメータセットを用いて算出したのかは基地局１０−ユーザ装置ＵＥ間で意識を合わせる必要があるが、従来技術では、基地局１０は、ＰＨに対してどのパラメータセットが適用されているのかを把握する手段がなく、基地局１０は、どのパラメータセットが適用されているのかを把握することができない。
【００２９】
すなわち、図２に示すように、ＵＬ  ＣＡにおいて、各サービングセルでＵＬ送信がある場合であれば、ユーザ装置ＵＥは、ＵＬ送信に使用するパラメータセットを用いて各ＰＨを算出し、基地局１０に送信する。基地局１０は、自身がＵＥのＵＬ送信のために指定したパラメータセットが使用されていることを知っているので、当該パラメータセットと、受信したＰＨとから、ユーザ装置ＵＥで観測されたパスロス等を把握できる。
【００３０】
一方、図３に示すように、ＵＬ  ＣＡにおいて、あるサービングセル（図３の例ではＳＣｅｌｌ）のＵＬ送信が無い場合、ユーザ装置ＵＥは、ＳＣｅｌｌのＰＨとして、あるパラメータセットを使用してｖｉｒｔｕａｌ  ＰＨを算出し、報告するが、基地局１０は、当該ＰＨの算出に使用されたパラメータセットを把握できないので、ユーザ装置ＵＥで観測されたパスロス等を把握することができず、ユーザ装置ＵＥに対するスケジューリング、送信電力制御を適切に行えない可能性がある。
【００３１】
以下、この課題を解決するための技術として、実施例１、実施例２を説明する。実施例１、実施例２のいずれにおいても、図３に示すように、ユーザ装置ＵＥがＵＬ  ＣＡにおける無送信のサービングセルにおいて、ｖｉｒｔｕａｌ  ＰＨをＰＨＲ  ＭＡＣ  ＣＥに設定して、送信する場合を想定している。
【００３２】
なお、ＵＬ送信電力算出において、動的に変更され得るパラメータは、上述した四角枠で囲んだパラメータ及び丸枠で囲んだパラメータに限定されるわけではなく、より一般的に送信電力算出に用いる全パラメータが動的に変化し得る。すなわち、送信電力算出に用いるいずれのパラメータも実施例１、２で説明する制御の対象となり得る。
【００３３】
上述した「動的に変更され得るパラメータ」とは、例えば下記の１）〜３）に相当するものであるが、下記の１）〜３）に限られるわけではない。
【００３４】
１）基地局１０からの指示を受けた時点で決定されるもの。基地局１０からの指示とは、例えば、ＤＣＩ、ＲＡＲ、ＵＬ  ｇｒａｎｔ指示、ＤＬ  ａｓｓｉｇｎｍｅｎｔ指示、あるいは、これらに関連して検出・決定されるリソース割当て等である。
【００３５】
２）ＵＬ送信が決定されたタイミングで決定されるもの。
【００３６】
３）ＵＬ送信が実施されるタイミング（あるいは、それよりも所定期間前までのタイミング）で決定されるもの。
【００３７】
（実施例１）
実施例１の基本的な動作例を図４を参照して説明する。ＰＨの報告はＰＨＲトリガに基づき実施される。Ｓ１０１において、ユーザ装置ＵＥはＰＨＲトリガを検出する。ＰＨＲトリガとしては例えば以下のものがある。以下は、一例として、非特許文献３に開示されているトリガを示している。
【００３８】
ユーザ装置ＵＥは、ＰＨＲトリガが満たされた後のＰＵＳＣＨ送信でＰＨＲ信号（ＰＨＲ  ＭＡＣ  ＣＥ）を送信する。下記の記述で「」で囲んだものはＲＲＣシグナリングで基地局１０からユーザ装置ＵＥに通知されるパラメータである。
−「ＰｅｒｉｏｄｉｃＰＨＲ−Ｔｉｍｅｒ」が満了；
−「ＰｒｏｈｉｂｉｔＰＨＲ−Ｔｉｍｅｒ」が満了し、かつ最後のＰＨＲ送信から、少なくとも１つ以上のＡｃｔｉｖａｔｅｄサービングセルで「ｄｌ−ＰａｔｈｌｏｓｓＣｈａｎｇｅ」以上のパスロス変動を観測；
−ＰＨＲのＣｏｎｆｉｇｕｒａｔｉｏｎまたはＲｅｃｏｎｆｉｇｕｒａｔｉｏｎ；
−ＵｐｌｉｎｋがＣｏｎｆｉｇｕｒｅされたＳＣｅｌｌのＡｃｔｉｖａｔｉｏｎ；
−「ＰｒｏｈｉｂｉｔＰＨＲ−Ｔｉｍｅｒ」が満了し、かつ最後のＰＨＲ送信から、少なくとも１つ以上のＡｃｔｉｖａｔｅｄサービングセルで「ｄｌ−ＰａｔｈｌｏｓｓＣｈａｎｇｅ」以上のＰｏｗｅｒ−ｂａｃｋｏｆｆ変更を実施。
【００３９】
図４のＳ１０２において、ユーザ装置ＵＥは、ＰＨＲ  ＭＡＣ  ＣＥを送信することができるＵＬリソースを有するものとし、ＰＨをＰＨＲ  ＭＡＣ  ＣＥで基地局１０に送信する。前述したように、ここでは図３に示す状況を前提としており、ここで送信されるＰＨＲ  ＭＡＣ  ＣＥの構成は、例えば、図３に示すとおりであり、ＰＣｅｌｌのＰｃｍａｘ，ｃ、ＰＣｅｌｌのＰＨ、ＳＣｅｌｌのＰｃｍａｘ，ｃ、ＳＣｅｌｌのＰＨを含む。Ｐｃｍａｘ，ｃは、ＵＬ送信の有無に拠らずに定まる。ＰＨについては、送信有りのＰＣｅｌｌのＰＨはｒｅａｌ  ＰＨであり、送信無しのＳＣｅｌｌのＰＨはｖｉｒｔｕａｌ  ＰＨである。
【００４０】
実施例１では、図４のＳ１０２において、ユーザ装置ＵＥは、ｖｉｒｔｕａｌ  ＰＨの算出にどのパラメータセットを使用したかを、当該ｖｉｒｔｕａｌ  ＰＨを含むＰＨＲ  ＭＡＣ  ＣＥで基地局１０に明示的に通知する。「どのパラメータセットを使用したか」を示す情報（これを使用パラメータ識別情報と呼ぶ）は、パラメータセットを構成する個々のパラメータのインデックスであってもよいし、パラメータセットを識別するインデックス（例：ＳＲＩ等のインデックス）であってもよいし、その他の情報であってもよい。
【００４１】
なお、ユーザ装置ＵＥはｖｉｒｔｕａｌ  ＰＨの算出のために使用するパラメータセットとして、例えば下記の内のいずれかを選択することができる。
【００４２】
−送信電力に加味されるパラメータの内の特定のもの（あるいは特定のものの組み合わせ）で、値が大きいもの（あるいは値が大きいものの組み合わせ）、又は、値が小さいもの（あるいは値が小さいものの組み合わせ）。
【００４３】
−送信電力に加味されるパラメータの内、最も送信電力が大きくなるもの（あるいは組み合わせ）、最も送信電力が小さくなるもの（あるいは組み合わせ）。
【００４４】
−ユーザ装置ＵＥが最後（直近）のＵＬ送信で用いたもの。
【００４５】
−ユーザ装置ＵＥがＲＡ  ｐｒｏｃｅｄｕｒ（ｅ．ｇ．Ｍｓｇ３）で用いたもの。
【００４６】
また、使用パラメータ識別情報は、ｖｉｒｔｕａｌ  ＰＨのフィールドに含められてもよいし、ｖｉｒｔｕａｌ  ＰＨのフィールドとｒｅａｌ  ＰＨのフィールドのそれぞれに含められてもよい。ｒｅａｌ  ＰＨのフィールドに含められる使用パラメータ識別情報は、ｖｉｒｔｕａｌ  ＰＨの算出に使用したパラメータセットの情報であってもよいし、ｒｅａｌ  ＰＨの算出に使用したパラメータセットの情報であってもよい。
【００４７】
図５は、使用パラメータ識別情報（ｉｄｘ）をｖｉｒｔｕａｌ  ＰＨのフィールドとｒｅａｌ  ＰＨのフィールドのそれぞれに含める場合におけるＰＨＲ  ＭＡＣ  ＣＥのフォーマットの一例を示す。図５の例は、ＰＣｅｌｌ、ＳＣｅｌｌ＃１、ＳＣｅｌｌ＃２によりＵＬ  ＣＡが設定されている場合の例を示している。
【００４８】
図４のＳ１０２により、使用パラメータ識別情報を含むＰＨＲ  ＭＡＣ  ＣＥを受信した基地局１０は、無送信のＳＣｅｌｌにおいてユーザ装置ＵＥがＰＨの算出に使用したパラメータセットを正確に把握できるので、無送信のＳＣｅｌｌにおいてユーザ装置ＵＥが観測したパスロスを考慮したスケジューリング、送信電力制御等を適切に行うことができる。実施例１では、明示的に通知を行うので、基地局１０は、動的な変化に追随して、正確にｖｉｒｔｕａｌ  ＰＨの算出に使用されたパラメータセットを把握できる。
【００４９】
（実施例２）
次に実施例２を説明する。上述したとおり、実際例１では、ユーザ装置ＵＥは使用パラメータ識別情報を明示的に基地局１０に通知していたが、実施例２では、明示的な使用パラメータ識別情報の通知を行わずに（つまり、暗黙的に）、ｖｉｒｔｕａｌ  ＰＨの算出にどのパラメータセットが使用されたかを、基地局１０が把握できるようにしている。以下では、実施例２−１〜２−４を説明する。実施例２−１〜２−４は、矛盾が生じない限り、適宜組み合わせて実施することが可能である。
【００５０】
＜実施例２−１＞
実施例２−１では、ユーザ装置ＵＥは、ｖｉｒｔｕａｌ  ＰＨの算出にデフォルトのパラメータ／パラメータセットを用いる。ここで、「パラメータ／パラメータセット」とは、個々のパラメータ単位でデフォルトのパラメータを使用してもよいし、複数のパラメータからなるパラメータセット単位でデフォルトのパラメータを使用してもよい、という意味である。
【００５１】
デフォルトのパラメータ／パラメータセットは、ユーザ装置ＵＥと基地局１０がともに保持しており、基地局１０は、ｖｉｒｔｕａｌ  ＰＨをユーザ装置ＵＥから受信した場合に、当該デフォルトのパラメータ／パラメータセットを使用して算出されたＰＨであると判断する。
【００５２】
なお、デフォルトのパラメータ／パラメータセットは、ＵＥ単位で定められてもよいし、サービングセル毎に定められてもよいし、ＲＳ毎に定められてもよい。
【００５３】
デフォルトのパラメータ／パラメータセットは、基地局１０からユーザ装置ＵＥに対して明示的に指定されてもよいし、特定のインデックスあるいはパラメータと関連付いたパラメータ／パラメータセットをデフォルトのパラメータ／パラメータセットとしてもよい。例えば、基地局１０からユーザ装置ＵＥに対して、使用し得るパラメータ／パラメータセット群として、パラメータ／パラメータセット＃１、パラメータ／パラメータセット＃２、パラメータ／パラメータセット＃３がＲＲＣシグナリング等で設定される場合において、「パラメータ／パラメータセット＃１」がデフォルトのパラメータ／パラメータセットとして使用されてもよい。
【００５４】
デフォルトのパラメータ／パラメータセットは、基地局１０からユーザ装置ＵＥに対し、例えばユーザ装置ＵＥの接続時等に最初に指定されたパラメータ／パラメータセットであってもよい。
【００５５】
図６に、実施例２−１の動作例を示す。Ｓ２０１において、上述したパラメータ／パラメータセットが基地局１０からユーザ装置ＵＥに通知される。Ｓ２０２において、ユーザ装置ＵＥがＰＨＲトリガを検知する。
【００５６】
ここでは、図４の場合と同様に、ＳＣｅｌｌが無送信とし、ユーザ装置ＵＥは、Ｓ２０１で受信したパラメータ／パラメータセットを使用してＳＣｅｌｌのＰＨを算出し、Ｓ２０３において、当該ＰＨを含むＰＨＲ  ＭＡＣ  ＣＥを基地局１０に送信する。
【００５７】
基地局１０は、Ｓ２０３で受信したｖｉｒｔｕａｌ  ＰＨは、Ｓ２０１で送信したパラメータ／パラメータセットで算出されたものであると判断し、例えば、当該パラメータ／パラメータセットと、ｖｉｒｔｕａｌ  ＰＨとから、ＳＣｅｌｌにおいてユーザ装置ＵＥが観測したパスロスを算出し、当該パスロスを考慮したスケジューリング等を実施することができる。
【００５８】
＜実施例２−２＞
次に、実施例２−２を説明する。実施例２−２では、ユーザ装置ＵＥは、ＲＡ  ｐｒｏｃｅｄｕｒｅ中のＵＬ送信（例：Ｍｓｇ３送信）で用いたパラメータ／パラメータセットを使用して、ｖｉｒｔｕａｌ  ＰＨを算出する。図７を参照して実施例２−２の動作例を説明する。
【００５９】
Ｓ３０１において、ユーザ装置ＵＥは、メッセージ１（ＲＡ  ｐｒｅａｍｂｌｅ）を基地局１０に送信し、Ｓ３０２において基地局１０からユーザ装置にメッセージ２（ＲＡ  ｒｅｓｐｏｎｓｅ）が返される。
【００６０】
Ｓ３０３において、ユーザ装置ＵＥは、Ｓ３０２で受信したメッセージ２に含まれる割り当て情報に基づいて、送信電力算出、無線リソースへのマッピング等を行って、メッセージ３（例：ＲＲＣ  ｃｏｎｎｅｃｔｉｏｎ  ｒｅｑｕｅｓｔ）を送信する。その後、ユーザ装置ＵＥと基地局１０間で、例えば図２のようにして、データ通信が行われる。
【００６１】
Ｓ３０４において、ユーザ装置ＵＥはＰＨＲトリガを検知する。この時点で、図３に示すように、ＳＣｅｌｌは無送信であるとする。ユーザ装置ＵＥは、Ｓ３０３でメッセージ３の送信に使用したパラメータ／パラメータセットを使用してＳＣｅｌｌのＰＨを算出し、Ｓ３０５において、当該ＰＨを含むＰＨＲ  ＭＡＣ  ＣＥを基地局１０に送信する。
【００６２】
基地局１０は、Ｓ３０５で受信したｖｉｒｔｕａｌ  ＰＨは、Ｓ３０３のメッセージ３の送信で使用されたパラメータ／パラメータセット（基地局１０がメッセージ２のＵＬ  ｇｒａｎｔで通知したもの）で算出されたものであると判断し、例えば、当該パラメータ／パラメータセットと、ｖｉｒｔｕａｌ  ＰＨとから、ＳＣｅｌｌにおいてユーザ装置ＵＥが観測したパスロスを算出し、当該パスロスを考慮したスケジューリング等を実施することができる。
【００６３】
なお、ユーザ装置ＵＥは、メッセージ１の送信に使用したパラメータ／パラメータセットを使用して、ｖｉｒｔｕａｌ  ＰＨの算出を行うこととしてもよい。
【００６４】
＜実施例２−３＞
次に、実施例２−３を説明する。実施例２−３は、ＰＨ算出時にＵＬ無送信であるサービングセルにおいて、過去の直近に実施したＵＬ送信に適用したパラメータ／パラメータセットを適用するものである。
【００６５】
例えば、図２に示すＵＬ  ＣＡにおいて、ＳＣｅｌｌ送信有りの状態から、図３に示すように、ＳＣｅｌｌ送信無しになり、図３に示す状態において、ユーザ装置ＵＥがＳＣｅｌｌのｖｉｒｔｕａｌ  ＰＨを行う場合を想定する。
【００６６】
この場合、ユーザ装置ＵＥは、図２に示すＳＣｅｌｌ送信有りの状態における直近に実施した当該ＳＣｅｌｌでのＵＬ送信に適用したパラメータ／パラメータセットを使用して、当該ＵＬ無送信のＳＣｅｌｌのｖｉｒｔｕａｌ  ＰＨを算出し、報告する。
【００６７】
基地局１０は、ユーザ装置ＵＥから受信したｖｉｒｔｕａｌ  ＰＨは、直近に実施された当該ＳＣｅｌｌでのＵＬ送信に適用したパラメータ／パラメータセットで算出されたものであると判断し、例えば、当該パラメータ／パラメータセットと、ｖｉｒｔｕａｌ  ＰＨとから、ＳＣｅｌｌにおいてユーザ装置ＵＥが観測したパスロスを算出し、当該パスロスを考慮したスケジューリング等を実施することができる。
【００６８】
＜実施例２−４＞
次に、実施例２−４を説明する。実施例２−４では、基地局１０からユーザ装置ＵＥに通知されるＵＬ  ｇｒａｎｔ内にて、ｖｉｒｔｕａｌ  ＰＨの算出に用いるパラメータ／パラメータセットが通知され、ユーザ装置ＵＥはそれに従ってＰＨを算出する。このＵＬ  ｇｒａｎｔは、ＰＨ算出対象である無送信のサービングセル（図３の例のＳＣｅｌｌ）におけるＵＬ  ｇｒａｎｔ（つまり、ｖｉｒｔｕａｌ  ＰＨの算出に用いるパラメータ／パラメータセットを通知するためのＵＬ  ｇｒａｎｔ）であってもよいし、送信有りのサービングセルにおけるＵＬ  ｇｒａｎｔであってもよい。
【００６９】
図８に、実施例２−４の動作例を示す。Ｓ４０１において、ユーザ装置ＵＥがＰＨＲトリガを検知する。Ｓ４０２において、ユーザ装置ＵＥは基地局１０から、ｖｉｒｔｕａｌ  ＰＨの算出のために使用するパラメータ／パラメータセットが指定されたＵＬ  ｇｒａｎｔを受信する。なお、Ｓ４０２のＵＬ  ｇｒａｎｔ受信は、Ｓ４０１の前のタイミングで実施されてもよい。
【００７０】
ここでは、ＳＣｅｌｌが無送信とし、ユーザ装置ＵＥは、Ｓ４０２で受信したＵＬ  ｇｒａｎｔに含まれるパラメータ／パラメータセットを使用してＳＣｅｌｌのＰＨを算出し、Ｓ４０３において、当該ＰＨを含むＰＨＲ  ＭＡＣ  ＣＥを基地局１０に送信する。
【００７１】
基地局１０は、Ｓ４０３で受信したｖｉｒｔｕａｌ  ＰＨは、Ｓ４０２で送信したパラメータ／パラメータセットで算出されたものであると判断し、例えば、当該パラメータ／パラメータセットと、ｖｉｒｔｕａｌ  ＰＨとから、ＳＣｅｌｌにおいてユーザ装置ＵＥが観測したパスロスを算出し、当該パスロスを考慮したスケジューリング等を実施することができる。
【００７２】
実施例２では、オーバヘッドの増加をもたらすことなく、ユーザ装置ＵＥと基地局１０との間でｖｉｒｔｕａｌ  ＰＨ算出に使用するパラメータ／パラメータセットの認識を合わせることができる。
【００７３】
（その他の例）
これまでに説明した実施例１、２におけるそれぞれの動作について、ユーザ装置ＵＥが、当該動作を適用可能であるか否かを示すＵＥ能力情報を基地局１０に通知してもよい。
【００７４】
当該ＵＥ能力情報には、例えば下記の（１）から（３）の情報のうちのいずれか１つ、あるいはいずれか複数（全部でもよい）の組み合わせが含まれる。
【００７５】
（１）適用可能なＲＳ（パスロス測定のために観測する参照信号）、パラメータ／パラメータセット。
【００７６】
（２）適用可能なＣｈａｎｎｅｌ種別、ｓｉｇｎａｌ種別（あるいは、適用可能なＣｈａｎｎｅｌ種別の数、ｓｉｇｎａｌ種別の数）、あるいは、各Ｃｈａｎｎｅｌ種別、各ｓｉｇｎａｌ種別における適用可能なＰＨ  ｔｙｐｅ。
【００７７】
（３）適用可能なサービングセルの識別情報。あるいは、適用可能なサービングセルの数。
【００７８】
また、ユーザ装置ＵＥによるＵＥ能力情報の報告は、ＲＡＴ単位、ＵＥ単位、ＭＡＣ  ｅｎｔｉｔｙ単位、Ｃｅｌｌ  ｇｒｏｕｐ単位、ｂａｎｄ  ｃｏｍｂｉｎａｔｉｏｎ単位、ｂａｎｄ単位、ＣＣ単位のいずれで行ってもよい。
【００７９】
（装置構成）
次に、これまでに説明した処理動作を実行するユーザ装置ＵＥ及び基地局１０の機能構成例を説明する。ユーザ装置ＵＥ及び基地局１０は、本実施の形態で説明した全ての機能を備えている。ただし、ユーザ装置ＵＥ及び基地局１０は、本実施の形態で説明した全ての機能のうちの一部のみの機能を備えてもよい。
【００８０】
＜ユーザ装置＞
図９は、ユーザ装置ＵＥの機能構成の一例を示す図である。図９に示すように、ユーザ装置ＵＥは、信号送信部１０１と、信号受信部１０２と、設定情報管理部１０３と、上り送信電力情報算出部１０４とを有する。図９に示す機能構成は一例に過ぎない。本実施の形態に係る動作を実行できるのであれば、機能区分及び機能部の名称はどのようなものでもよい。なお、信号送信部１０１を送信機と称し、信号受信部１０２を受信機と称してもよい。
【００８１】
信号送信部１０１は、送信データから送信を作成し、当該送信信号を無線で送信する。信号受信部１０２は、各種の信号を無線受信し、受信した物理レイヤの信号からより上位のレイヤの信号を取得する。また、信号受信部１０２はＲＳ等の信号の測定を行って、品質等を取得する機能を含む。信号送信部１０１と信号受信部１０２はキャリアアグリゲーションの機能を有する。
【００８２】
設定情報管理部１０３は、信号受信部１０２により基地局１０から受信した各種の設定情報、及び、予め設定される設定情報を格納する。設定情報の例としては各種のパラメータがある。上り送信電力情報算出部１０４は、パスロス、ＰＨ、Ｐｃｍａｘ等の情報を算出する。
【００８３】
例えば、上り送信電力情報算出部１０４は、動的に変更され得るパラメータを使用して、サービングセルの上り送信電力情報を算出するように構成され、信号送信部１０１は、前記上り送信電力情報が設定された制御情報に、当該上り送信電力情報の算出に使用されたパラメータを識別する識別情報を含め、当該識別情報を含む前記制御情報を前記基地局に送信するように構成される。前記サービングセルにおける上り送信は実施されておらず、前記上り送信電力情報は、上り送信が実施されていない当該サービングセルについての上り送信電力情報であることとしてもよい。
【００８４】
また、上り送信電力情報算出部１０４は、デフォルトのパラメータを使用して、上り送信が実施されていないサービングセルの上り送信電力情報を算出するように構成され、信号送信部１０１は、前記上り送信電力情報が設定された制御情報を生成し、当該制御情報を前記基地局に送信するように構成されてもよい。
【００８５】
また、上り送信電力情報算出部１０４は、ランダムアクセス手順における上り送信に適用したパラメータを使用して、上り送信が実施されていないサービングセルの上り送信電力情報を算出するように構成され、前記上り送信電力情報が設定された制御情報を生成し、当該制御情報を前記基地局に送信するように構成されてもよい。
【００８６】
また、上り送信電力情報算出部１０４は、あるサービングセルにおける上り送信に適用したパラメータを使用して、当該サービングセルの上り送信が実施されていない場合における当該サービングセルの上り送信電力情報を算出するように構成され、信号送信部１０１は、前記上り送信電力情報が設定された制御情報を生成し、当該制御情報を前記基地局に送信するように構成されてもよい。
【００８７】
また、上り送信電力情報算出部１０４は、上り送信が実施されていないサービングセルにおける下り制御信号により受信したパラメータを使用して、当該サービングセルの上り送信電力情報を算出するように構成され、信号送信部１０１は、前記上り送信電力情報が設定された制御情報を生成し、当該制御情報を前記基地局に送信するように構成されてもよい。
【００８８】
＜基地局１０＞
図１０は、基地局１０の機能構成の一例を示す図である。図１０に示すように、基地局１０は、信号送信部２０１と、信号受信部２０２と、設定情報管理部２０３と、スケジューリング部２０４とを有する。図１０に示す機能構成は一例に過ぎない。本実施の形態に係る動作を実行できるのであれば、機能区分及び機能部の名称はどのようなものでもよい。なお、信号送信部２０１を送信機と称し、信号受信部２０２を受信機と称してもよい。
【００８９】
信号送信部２０１は、ユーザ装置ＵＥ側に送信する信号を生成し、当該信号を無線で送信する機能を含む。信号受信部２０２は、ユーザ装置ＵＥから送信された各種の信号を受信し、受信した信号から、例えばより上位のレイヤの情報を取得する機能を含む。信号送信部２０１と信号受信部２０２はキャリアアグリゲーションの機能を有する。
【００９０】
設定情報管理部２０３は、ユーザ装置ＵＥに送信する各種の設定情報、ユーザ装置ＵＥから受信する各種の設定情報、及び、予め設定される設定情報を格納する。スケジューリング部２０４は、信号受信部２０２を介してユーザ装置ＵＥから受信したＰＨＲ信号に基づいて、スケジューリング、送信電力制御を行う機能を含む。
【００９１】
＜ハードウェア構成＞
上記実施の形態の説明に用いたブロック図（図９〜図１０）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００９２】
また、例えば、本発明の一実施の形態におけるユーザ装置ＵＥと基地局１０はいずれも、本実施の形態に係る処理を行うコンピュータとして機能してもよい。図１１は、本実施の形態に係るユーザ装置ＵＥと基地局１０のハードウェア構成の一例を示す図である。上述のユーザ装置ＵＥと基地局１０はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【００９３】
なお、以下の説明では、「装置」という文言は、回路、デバイス、ユニットなどに読み替えることができる。ユーザ装置ＵＥと基地局１０のハードウェア構成は、図に示した１００１〜１００６で示される各装置を１つ又は複数含むように構成されてもよいし、一部の装置を含まずに構成されてもよい。
【００９４】
ユーザ装置ＵＥと基地局１０における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００９５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【００９６】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、図９に示したユーザ装置ＵＥの信号送信部１０１、信号受信部１０２、設定情報管理部１０３、上り送信電力情報算出部１０４は、メモリ１００２に格納され、プロセッサ１００１で動作する制御プログラムによって実現されてもよい。また、例えば、図１０に示した基地局１０の信号送信部２０１と、信号受信部２０２と、設定情報管理部２０３、スケジューリング部２０４は、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００９７】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る処理を実施するために実行可能なプログラム（プログラムコード）、ソフトウェアモジュールなどを保存することができる。
【００９８】
ストレージ１００３は、コンピュータ読み取り可能な記録媒体であり、例えば、ＣＤ−ＲＯＭ（Ｃｏｍｐａｃｔ  Ｄｉｓｃ  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００９９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ユーザ装置１０の信号送信部１０１及び信号受信部１０２は、通信装置１００４で実現されてもよい。また、基地局１０の信号送信部２０１及び信号受信部２０２は、通信装置１００４で実現されてもよい。
【０１００】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【０１０１】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１０２】
また、ユーザ装置ＵＥと基地局１０はそれぞれ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１０３】
（実施の形態のまとめ）
以上、説明したように、本実施の形態により、ユーザ装置と基地局とを有する無線通信システムにおける前記ユーザ装置であって、動的に変更され得るパラメータを使用して、サービングセルの上り送信電力情報を算出する上り送信電力情報算出部と、前記上り送信電力情報が設定された制御情報に、当該上り送信電力情報の算出に使用されたパラメータを識別する識別情報を含め、当該識別情報を含む前記制御情報を前記基地局に送信する信号送信部とを備えるユーザ装置が提供される。
【０１０４】
上記の構成によれば、上り送信が実施されていないサービングセルにおいて、ユーザ装置が上り送信電力情報の算出に使用したパラメータを基地局が把握することができる。
【０１０５】
前記サービングセルにおける上り送信は実施されておらず、前記上り送信電力情報は、上り送信が実施されていない当該サービングセルについての上り送信電力情報であることとしてもよい。この構成によっても、上り送信が実施されていないサービングセルにおいて、ユーザ装置が上り送信電力情報の算出に使用したパラメータを基地局が把握することができる。
【０１０６】
また、本実施の形態により、ユーザ装置と基地局とを有する無線通信システムにおける前記ユーザ装置であって、デフォルトのパラメータを使用して、上り送信が実施されていないサービングセルの上り送信電力情報を算出する上り送信電力情報算出部と、前記上り送信電力情報が設定された制御情報を生成し、当該制御情報を前記基地局に送信する信号送信部とを備えるユーザ装置が提供される。
【０１０７】
また、本実施の形態により、ユーザ装置と基地局とを有する無線通信システムにおける前記ユーザ装置であって、ランダムアクセス手順における上り送信に適用したパラメータを使用して、上り送信が実施されていないサービングセルの上り送信電力情報を算出する上り送信電力情報算出部と、前記上り送信電力情報が設定された制御情報を生成し、当該制御情報を前記基地局に送信する信号送信部とを備えるユーザ装置が提供される。
【０１０８】
また、本実施の形態により、ユーザ装置と基地局とを有する無線通信システムにおける前記ユーザ装置であって、あるサービングセルにおける上り送信に適用したパラメータを使用して、当該サービングセルの上り送信が実施されていない場合における当該サービングセルの上り送信電力情報を算出する上り送信電力情報算出部と、前記上り送信電力情報が設定された制御情報を生成し、当該制御情報を前記基地局に送信する信号送信部とを備えるユーザ装置が提供される。
【０１０９】
また、本実施の形態により、ユーザ装置と基地局とを有する無線通信システムにおける前記ユーザ装置であって、上り送信が実施されていないサービングセルにおける下り制御信号により受信したパラメータを使用して、当該サービングセルの上り送信電力情報を算出する上り送信電力情報算出部と、前記上り送信電力情報が設定された制御情報を生成し、当該制御情報を前記基地局に送信する信号送信部とを備えるユーザ装置が提供される。
【０１１０】
上記のいずれのユーザ装置の構成によっても、上り送信が実施されていないサービングセルにおいて、ユーザ装置が上り送信電力情報の算出に使用したパラメータを基地局が把握することができる。
【０１１１】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、ユーザ装置ＵＥと基地局１０は機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局１０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１１２】
また、情報の通知は、本明細書で説明した態様／実施形態に限られず、他の方法で行われてもよい。例えば、情報の通知は、物理レイヤシグナリング（例えば、ＤＣＩ（Ｄｏｗｎｌｉｎｋ  Ｃｏｎｔｒｏｌ  Ｉｎｆｏｒｍａｔｉｏｎ）、ＵＣＩ（Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、ＭＡＣ（Ｍｅｄｉｕｍ  Ａｃｃｅｓｓ  Ｃｏｎｔｒｏｌ）シグナリング、ブロードキャスト情報（ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ））、その他の信号又はこれらの組み合わせによって実施されてもよい。また、ＲＲＣシグナリングは、ＲＲＣメッセージと呼ばれてもよく、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであってもよい。
【０１１３】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＳＵＰＥＲ  ３Ｇ、ＩＭＴ−Ａｄｖａｎｃｅｄ、４Ｇ、５Ｇ、ＦＲＡ（Ｆｕｔｕｒｅ  Ｒａｄｉｏ  Ａｃｃｅｓｓ）、Ｗ−ＣＤＭＡ（登録商標）、ＧＳＭ（登録商標）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切なシステムを利用するシステム及び／又はこれらに基づいて拡張された次世代システムに適用されてもよい。
【０１１４】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１１５】
本明細書において基地局１０によって行われるとした特定動作は、場合によってはその上位ノード（ｕｐｐｅｒ  ｎｏｄｅ）によって行われることもある。基地局１０を有する１つまたは複数のネットワークノード（ｎｅｔｗｏｒｋ  ｎｏｄｅｓ）からなるネットワークにおいて、ユーザ装置ＵＥとの通信のために行われる様々な動作は、基地局１０および／または基地局１０以外の他のネットワークノード（例えば、ＭＭＥまたはＳ−ＧＷなどが考えられるが、これらに限られない）によって行われ得ることは明らかである。上記において基地局１０以外の他のネットワークノードが１つである場合を例示したが、複数の他のネットワークノードの組み合わせ（例えば、ＭＭＥおよびＳ−ＧＷ）であってもよい。
【０１１６】
本明細書で説明した各態様／実施形態は単独で用いてもよいし、組み合わせて用いてもよいし、実行に伴って切り替えて用いてもよい。
【０１１７】
ユーザ装置ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１１８】
基地局１０は、当業者によって、ＮＢ（ＮｏｄｅＢ）、ｅＮＢ（ｅｎｈａｎｃｅｄ  ＮｏｄｅＢ）、ベースステーション（Ｂａｓｅ  Ｓｔａｔｉｏｎ）、ｇＮＢ、またはいくつかの他の適切な用語で呼ばれる場合もある。
【０１１９】
本明細書で使用する「判断（ｄｅｔｅｒｍｉｎｉｎｇ）」、「決定（ｄｅｔｅｒｍｉｎｉｎｇ）」という用語は、多種多様な動作を包含する場合がある。「判断」、「決定」は、例えば、判定（ｊｕｄｇｉｎｇ）、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベースまたは別のデータ構造での探索）、確認（ａｓｃｅｒｔａｉｎｉｎｇ）した事を「判断」「決定」したとみなす事などを含み得る。また、「判断」、「決定」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）した事を「判断」「決定」したとみなす事などを含み得る。また、「判断」、「決定」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などした事を「判断」「決定」したとみなす事を含み得る。つまり、「判断」「決定」は、何らかの動作を「判断」「決定」したとみなす事を含み得る。
【０１２０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２１】
「含む（ｉｎｃｌｕｄｅ）」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（ｏｒ）」は、排他的論理和ではないことが意図される。
【０１２２】
本開示の全体において、例えば、英語でのａ，ａｎ，及びｔｈｅのように、翻訳により冠詞が追加された場合、これらの冠詞は、文脈から明らかにそうではないことが示されていなければ、複数のものを含み得る。
【０１２３】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１２４】
１０１  信号送信部
１０２  信号受信部
１０３  設定情報管理部
１０４  上り送信電力情報算出部
２０１  信号送信部
２０２  信号受信部
２０３  設定情報管理部
２０４  スケジューリング部
１００１  プロセッサ
１００２  メモリ
１００３  ストレージ
１００４  通信装置
１００５  入力装置
１００６  出力装置
【図１】
2019159302.tif 000007
【図２】
2019159302.tif 000008
【図３】
2019159302.tif 000009
【図４】
2019159302.tif 000010
【図５】
2019159302.tif 000011
【図６】
2019159302.tif 000012
【図７】
2019159302.tif 000013
【図８】
2019159302.tif 000014
【図９】
2019159302.tif 000015
【図１０】
2019159302.tif 000016
【図１１】
2019159302.tif 000017
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
パラメータのセットのインデックス及びパスロス算出に用いられる参照信号のインデックスのうちの少なくともいずれかのインデックスを使用して、実際の送信に基づかないパワーヘッドルームを算出する算出部と、
前記パワーヘッドルームが設定された制御情報を生成し、当該制御情報を基地局に送信する送信部とを備え、
前記少なくともいずれかのインデックスは、前記基地局から設定される複数のインデックスのうちの特定のインデックスである
端末。
【請求項２】
前記パラメータのセットのインデックス及び前記パスロス算出に用いられる参照信号のインデックスの両方を使用して実際の送信に基づかないパワーヘッドルームを算出する
請求項１に記載の端末。
【請求項３】
パラメータのセットのインデックス及びパスロス算出に用いられる参照信号のインデックスのうちの少なくともいずれかのインデックスを使用して、実際の送信に基づかないパワーヘッドルームを算出するステップと、
前記パワーヘッドルームが設定された制御情報を生成し、当該制御情報を基地局に送信するステップとを備え、
前記少なくともいずれかのインデックスは、前記基地局から設定される複数のインデックスのうちの特定のインデックスである
端末が実行する方法。
【請求項４】
前記端末は、前記パラメータのセットのインデックス及び前記パスロス算出に用いられる参照信号のインデックスの両方を使用して実際の送信に基づかないパワーヘッドルームを算出する
請求項３に記載の端末が実行する方法。
【国際調査報告】
2019159302.tif 000018
2019159302.tif 000019
2019159302.tif 000020
2019159302.tif 000021